(57)【要約】【課題】従来の構造に簡単な構成を付加することで、コスト高とならずに、遮音性能もしくは気密性能を従来よりも格段に向上させることができる。【解決手段】扉枠１に対してヒンジ２で開閉自在にロックウール等の遮音材３を充填した扉本体４を取り付け、気密パッキン５を扉枠１側の収納溝８から突出させて閉じた状態の扉本体４に当接するように配設した扉装置において、前記扉枠１側の収納溝８をヒンジ軸芯２ａよりも内側に位置させ、扉本体４の気密パッキン５への接触面を扉本体周端より少し内方とした。【選択図】　　　　図１
2004060381.tif 000002
【特許請求の範囲】
【請求項１】
扉枠に対してヒンジで開閉自在にロックウール等の遮音材を充填した扉本体を取り付け、気密パッキンを扉枠側の収納溝から突出させて閉じた状態の扉本体に当接するように配設した扉装置において、前記扉枠側の収納溝をヒンジ軸芯よりも内側に位置させ、扉本体の気密パッキンへの接触面を扉本体周端より少し内方としたことを特徴とする扉装置。
【請求項２】
扉本体は召し合わせを有する両開きのものであり、召し合わせ部は、上下方向における双方の扉本体相互間の隙間の平面形状が鉤型に屈曲するように形成し、この隙間の端部を閉塞するように気密パッキンを一方の扉本体から突設させる戸当たり部材の収納溝から突出させる請求項１記載の扉装置。
【請求項３】
戸当たり部材を設けた側の扉本体上部には、上下方向における双方の扉本体相互間の隙間の上下方向の端部を閉塞するゴム板を、その一部が扉枠側の横枠ゴムパッキンに当接するように設けた請求項２記載の扉装置。
【請求項４】
扉本体は厚さ方向に平行間隔を存して下辺部からヒレ状シール部材を突出し、その両先端を沓摺に当接させる請求項１ないし請求項３のいずれかに記載の扉装置。
【請求項５】
扉本体は召し合わせを有する両開きのものであり、召し合わせ部は、戸当たり部材に代わるものとして平板の目板を上下方向に伸びるように扉本体に突設し、この目板の他の扉本体が当たる面にラバーマグネットを配設する請求項１または請求項４に記載の扉装置。
【発明の詳細な説明】
【０００１】
【発明の属する技術分野】
本発明は、遮音性能もしくは気密性能を有する扉装置に関するものである。
【０００２】
【従来の技術】
遮音性能を有する扉装置でセミ（エア）タイトといわれるものはパッキンをもって気密性を確保するが、図１７に示すように、建物躯体側に固定する扉枠１に対してヒンジ２で開閉自在にロックウール等の遮音材３を充填した扉本体４を取り付け、ゴム製の気密パッキン５を扉枠１側に設けて扉本体４を閉じたときにこの気密パッキン５に扉本体４の周囲面が当接するようになっている。
【０００３】
【発明が解決しようとする課題】
しかし、このようなセミ（エア）タイトの扉装置では、扉本体４を閉める際に気密パッキン５の側面に扉本体４があたることになって吊元側である扉枠１側に押し込まれてタイト状態を保ち難い。さらに、気密パッキン５が大きく押し潰されることになり、扉本体４の開閉にも負荷がかかる。
【０００４】
なお、ハンドルを回転することで錠本体がロッドを上下動し、そのロッドを錠受けに係止、離脱するグレモン錠による締め具を用いれば、ある程度のタイト性が得られるが、コスト高であり、また、操作性も面倒である。
【０００５】
本発明の目的は前記従来例の不都合を解消し、従来の構造に簡単な構成を付加することで、コスト高とならずに、遮音性能もしくは気密性能を従来よりも格段に向上させることができる扉装置を提供することにある。
【０００６】
【課題を解決するための手段】
本発明は前記目的を達成するため、第１に、扉枠に対してヒンジで開閉自在にロックウール等の遮音材を充填した扉本体を取り付け、気密パッキンを扉枠側の収納溝から突出させて閉じた状態の扉本体に当接するように配設した扉装置において、前記扉枠側の収納溝をヒンジ軸芯よりも内側に位置させ、扉本体の気密パッキンへの接触面を扉本体周端より少し内方としたことを要旨とするものである。
【０００７】
第２に、扉本体は召し合わせを有する両開きのものであり、召し合わせ部は、上下方向における双方の扉本体相互間の隙間の平面形状が鉤型に屈曲するように形成し、この隙間の端部を閉塞するように気密パッキンを一方の扉本体から突設させる戸当たり部材の収納溝から突出させること、第３に、戸当たり部材を設けた側の扉本体上部には、上下方向における双方の扉本体相互間の隙間の上下方向の端部を閉塞するゴム板を、その一部が扉枠側の横枠ゴムパッキンに当接するように設けたこと、第４に、扉本体は厚さ方向に平行間隔を存して下辺部からヒレ状シール部材を突出し、その両先端を沓摺に当接させることを要旨とするものである。
【０００８】
第５に、扉本体は召し合わせを有する両開きのものであり、召し合わせ部は、戸当たり部材に代わるものとして平板の目板を上下方向に伸びるように扉本体に突設し、この目板の他の扉本体が当たる面にラバーマグネットを配設することを要旨とするものである。
【０００９】
請求項１記載の本発明によれば、扉枠側の収納溝をヒンジ軸芯よりも内側に位置させ、扉本体の気密パッキンへの接触面を扉本体周端より少し内方としたので、これらヒンジ軸芯である扉本体の回転中心と気密パッキンとが角度のない直線状に並んでいた従来例（図１７参照）と比べて、傾斜のある斜め方向に並ぶことになり、相互間隔距離が長くなる。
【００１０】
その結果、扉本体の回転軌跡がこの気密パッキンにほどんど重ならないようにヒンジ軸芯を位置づけることが可能となり、扉本体の角部を気密パッキンの側部の当てて、その結果気密パッキンが大きく押し潰されるようなことはない。
【００１１】
請求項２記載の本発明によれば、前記作用に加えて、扉本体が召し合わせを有する両開きのものである場合の召し合わせ部の気密性を向上させるもので、上下方向における双方の扉本体相互間の隙間の平面形状が鉤型に屈曲するように形成したので、空気や音が双方の扉本体相互間の隙間を直線に抜けてしまうことはなく、遮音性能を上げることができる。
【００１２】
請求項３記載の本発明によれば、前記請求項２の発明に加えて、上下方向における双方の扉本体相互間の隙間の上下方向の端部の閉塞をゴム板により、確実に行うことができる。
【００１３】
請求項４記載の本発明によれば、バリアーフリー等では段差を設けないように沓摺を平坦とするために扉本体の下辺部では扉枠に設けたゴム製の気密パッキンでの遮蔽ができないが、扉本体の下辺部と沓摺との隙間をヒレ状シール部材でしかも扉本体の厚さ方向に平行間隔を存して２重にシールすることで、確実に遮音することができる。
【００１４】
請求項５記載の本発明によれば、扉本体が召し合わせを有する両開きのものである場合の召し合わせ部の気密性を向上させるもので、目板とラバーマグネットという簡単な構成で実現することができる。
【００１５】
【発明の実施の形態】
以下、図面について本発明の実施形態を詳細に説明する。図１は本発明の扉装置の１実施形態を示す横断平面図、図２は同上縦断側面図、図３は召し合わせ部の縦断側面図で、前記従来例と示す図１７と同じく、セミ（エア）タイトの扉装置として建物躯体側に固定する扉枠１に対してヒンジ２で開閉自在にロックウール等の遮音材３を充填した扉本体４を取り付け、ゴム製の気密パッキン５を扉枠１側に設けて扉本体４を閉じたときにこの気密パッキン５に扉本体４の周囲面が当接するようになっている。
【００１６】
扉本体４は本実施形態では前記従来例を示す図１７のものより厚く（従来４０ｍｍなのを５５ｍｍとする）形成したが、この扉本体４の厚さは特に限定がある訳でなく例えば従来と同じような寸法から５５ｍｍまでを適宜選択できる。
【００１７】
扉枠１は本実施形態では鋼製の中空枠体内にモルタル６を充填して建物躯体側に設けたもので、周囲内側に向けて戸当たり７となる突設部を内部（音源側）に形成し、この戸当たり７にはゴム製の気密パッキン５を収納配設する収納溝８を形成した。なお、扉枠１は遮音ボード収まり壁に取り付ける場合には、モルタル６ではなくロックウールを入れる場合もある。また、図の表記では機械室等から音が外へ出ないような設定するような場合として内部（音源側）と外部（受音側）として、内部の音が内部に入り込まないような設定としたが、他の実施形態としては内部を受音側、外部を音源側とすることもある。
【００１８】
ゴム製の気密パッキン５は、図１５に示すように断面ドーム形状で内部に中空部５ａが形成された本体部分５ｂと、この本体部分５ｂの基端部から突設され中空矩形断面の取付脚部５ｃとによって構成されている。また、本体部分５ｂの内周面長さ方向に溝５ｄが形成され屈曲性を向上させ、本体部分５ｂに外力が加わった場合に、気密パッキン５が容易に弾性変形するようになされている。取付脚部５ｃの側面にはフィン５ｅを形成した。
【００１９】
この気密パッキン５は、断面形状で長尺に形成されている。この気密パッキン５としてはゴム製が好適であるが、プラスチックその他の各種弾性材料によって形成されたものを使用することもできる。この気密パッキン５は、戸当たり７の長さに合わせて適宜に切断する。
【００２０】
図中１０は建物躯体との隙間を埋めるコーキング材であるが　これは省略することもある。
【００２１】
前記ヒンジ２は、ピポットヒンジと称せされる偏平板状のヒンジで、本発明は前記扉枠１側の収納溝８をヒンジ２の軸芯２ａよりも内側（扉枠１の面内の内方）に位置させた。
【００２２】
これにより、図１７にも示すように軸芯２ａである扉本体４の回転中心と気密パッキン５とが傾斜角のある斜め方向に並ぶことになり、相互間隔距離が多少従来よりも長くなる。その結果、扉本体４の気密パッキン５の接触面を扉本体４の周端より少し内方とすることができる。しかも、扉本体４の回転軌跡がこの気密パッキン５にほどんど重ならないように軸芯２ａを位置づけることが可能となり、扉本体４を閉める際に、扉本体４の角部を気密パッキン５の側部に当てて気密パッキン５が大きく押し潰されるようなことはない。
【００２３】
図１のような扉本体４は召し合わせ部１１を有する両開きのものであり、召し合わせ部１１は、上下方向における双方の扉本体４相互間の隙間１２を有する。一方の扉本体４には受音側の角部に切欠き段部２３を上下方向に形成し、他方の扉本体４の角部からはこの切欠き段部２３に入り込む突片１３を同じく長さ方向に形成した。
【００２４】
一方、音源側では一方の扉本体４には戸当たり部材１４を他方の扉本体４の外側面に被さるように突設させ、この戸当たり部材１４に気密パッキン５の収納溝８を形成した。そして、この収納溝８に気密パッキン５を一部突出するように収め、この気密パッキン５を閉めた状態での他方の扉本体４の外側面に当接するようにした。
【００２５】
このようにして上下方向における双方の扉本体４相互間の隙間１２の平面形状が鉤型に屈曲するように形成され、この隙間１２の端部を気密パッキン５が閉塞する。
【００２６】
さらに、前記戸当たり部材１４を設けた側の扉本体４の上部および下部には、前記上下方向における双方の扉本体４相互間の隙間１２の端部を閉塞するゴム板１５を設ける。
【００２７】
このゴム板１５は図８に示すように逆Ｌ字形の小さなピースであり、垂直部１５ａを気密パッキン５に並ぶようにして戸当たり部材１４に接着固定させ、水平部１５ｂは戸当たり部材１４の上端に跨がるように位置するが、この水平部１５ｂには上端に切欠き溝１５ｃを設けて、この切欠き溝１５ｃを扉枠１側の横枠ゴムパッキン１６に係合させることでゴム板１５を横枠ゴムパッキン１６に当接させるようにした。ゴム板１５は係止突起を突出させて戸当たり部材１４に設けた孔にこの係止突起を挿入係止してもよい。
【００２８】
図５〜図７は前記ゴム板１５の配設状態を示し、図５では上部の横枠ゴムパッキン１６との係合を、図６では水平部１５ｂの部分を、図７では垂直部１５ａの部分の占める割合がわかる。
【００２９】
以上の構成を採用することで、吊元では扉本体４を閉める際に扉本体４の角部を気密パッキン５の側部に当て気密パッキン５が大きく押し潰されるようなことはなく、また、扉本体４の気密パッキン５への接触面を扉本体４の周端より少し内方としたのでタイト性が向上し、音や空気の抜けようとする隙間を屈曲したものとして形成でき、直線的な抜けの防止が図れる。
【００３０】
また、召し合わせ部１１においても、上下方向における双方の扉本体４相互間の隙間１２の平面形状が鉤型に屈曲するように形成したので、空気や音が双方の扉本体４相互間の隙間を直線に抜けてしまうことはなく、遮音性能を上げることができる。
【００３１】
さらに、前記召し合わせ部１１における双方の扉本体４相互間の隙間１２の上下方向の端部はこれをゴム板１５により閉塞することになる。
【００３２】
図１１は本発明の第２実施形態を示すものとして片開きの場合である。このような召し合わせ部がない片開きの場合でも、吊元では気密パッキン５が大きく押し潰されるようなことはなく、気密性が向上する。
【００３３】
図１２は本発明の第３実施形態を示すもので、バリアフリー等に用いるものとして沓摺１７は戸当たりがない平坦なものである。戸当たりがないのでパッキンを設けることが出来ない。そこで、扉本体４は厚さ方向に平行間隔を存して下辺部からヒレ状シール部材１８を突出し、その両先端を沓摺１７に当接させながら摺動させるものとした。
【００３４】
前記ヒレ状シール部材１８はゴム製であり、チャンネル形状でその側壁をヒレ状とした。そして、扉本体４の下辺部閉塞板１９がチャンネル板なので、そこに嵌めるようにしてチャンネル状の当板２０で挟み込んで、ビス止めする。
【００３５】
本発明の第４実施形態として、扉本体４は召し合わせ部１１を有する両開きのものである場合に、この召し合わせ部１１では一方の扉本体４には内部（受音側）の角部に切欠き段部２３を上下方向に形成し、他方の扉本体４の角部にからはこの切欠き段部２３に入り込む突片１３を同じく長さ方向に形成した点は前記第１実施形態と同じであるが、戸当たり部材に代わるものとして平板による目板２２を上下方向に伸びるように扉本体４に突設し、この目板２２の他の扉本体４が当たる面にラバーマグネット２１を配設した。
【００３６】
目板２２は扉本体４にビス止めすることで簡単に取り付けることができ、また、ラバーマグネット２１はこの目板２２よりも多少大きくて端部が出っ張るようなものでもよい。
【００３７】
扉本体４を閉じたときの召し合わせ部１１では、ラバーマグネット２１が他の扉本体４に磁力で吸着し、気密性が保持できる。
【００３８】
以上述べた実施形態では遮音扉としての例を説明したが、気密性を高めるという点で、例えばクリーンルーム内に通じる荷取前室のセミ（エア）タイト式ドア等などにも本発明は応用できる。
【００３９】
【発明の効果】
以上述べたように本発明の扉装置は、従来の構造に簡単な構成を付加することで、コスト高とならずに、遮音性能もしくは気密性能を従来よりも格段に向上させることができるものである。
【図面の簡単な説明】
【図１】本発明の扉装置の第１実施形態を示す横断平面図である。
【図２】本発明の扉装置の第１実施形態を示す縦断側面図である。
【図３】本発明の扉装置の第１実施形態を示す召し合わせ部の縦断側面図である。
【図４】本発明の扉装置の第１実施形態を示す要部の背面図である。
【図５】図３のＡ−Ａ線断面図である。
【図６】図３のＢ−Ｂ線断面図である。
【図７】図３のＣ−Ｃ線断面図である。
【図８】ゴム板の斜視図である。
【図９】本発明の扉装置の第１実施形態を示す全体の正面図である。
【図１０】本発明の扉装置の第１実施形態を示す全体の平面図である。
【図１１】本発明の扉装置の第２実施形態を示す横断平面図である。
【図１２】本発明の扉装置の第３実施形態を示す縦断側面図である。
【図１３】本発明の扉装置の第４実施形態を示す横断平面図である。
【図１４】本発明の扉装置の第４実施形態を示す縦断側面図である。
【図１５】気密パッキンの断面図である。
【図１６】本発明の扉装置の回転の動きを示す要部の横断平面図である。
【図１７】従来例の扉装置の回転の動きを示す要部の横断平面図である。
【符号の説明】
１…扉枠　　　　　　　　　　　　　　２…ヒンジ
２ａ…軸芯　　　　　　　　　　　　　３…遮音材
４…扉本体　　　　　　　　　　　　　５…気密パッキン
５ａ…中空部　　　　　　　　　　　　５ｂ…本体部分
５ｃ…取付脚部　　　　　　　　　　　５ｄ…溝
５ｅ…フィン
６…モルタル　　　　　　　　　　　　７…戸当たり
８…収納溝
１０…コーキング材　　　　　　　　　　１１…召し合わせ部
１２…隙間　　　　　　　　　　　　　　１３…突片
１４…戸当たり部材　　　　　　　　　　１５…ゴム板
１５ａ…垂直部　　　　　　　　　　　　１５ｂ…水平部
１５ｃ…切欠き溝　　　　　　　　　　　１６…横枠ゴムパッキン
１７…沓摺　　　　　　　　　　　　　　１８…ヒレ状シール部材
１９…下辺部閉塞板　　　　　　　　　　２０…当板
２１…ラバーマグネット　　　　　　　　２２…目板
２３…切欠き段部
【図１】
2004060381.tif 000003
【図２】
2004060381.tif 000004
【図３】
2004060381.tif 000005
【図４】
2004060381.tif 000006
【図５】
2004060381.tif 000007
【図６】
2004060381.tif 000008
【図７】
2004060381.tif 000009
【図８】
2004060381.tif 000010
【図９】
2004060381.tif 000011
【図１０】
2004060381.tif 000012
【図１１】
2004060381.tif 000013
【図１２】
2004060381.tif 000014
【図１３】
2004060381.tif 000015
【図１４】
2004060381.tif 000016
【図１５】
2004060381.tif 000017
【図１６】
2004060381.tif 000018
【図１７】
2004060381.tif 000019